(57)【要約】      （修正有）【課題】ペットのおとなしくさせスムーズな運搬、洗浄、治療を行うことを目的とするネット。【解決手段】布製のネット（１）に小動物を出し入れするファスナー（２）、ファスナーが勝手に開かない様にする留め具（３）、ペットが首を出せる紐（４）とその留め具（５）からなる絞り口（６）、カバー（７）を止める為用のボタン（８）、面ファスナー（９）、袋を持ち上げるための取っ手（１０）からなる、小動物を洗ったり、運んだり、予防接種等の治療時におとなしくさせることが出来るネット。【選択図】図２
0003113999.tif 000002
【実用新案登録請求の範囲】
【請求項１】
布製のネット（１）に小動物を出し入れするファスナー（２）とファスナーの留め具（３）、必要に応じてペットが首を出したり、手を入れて作業がし易いように、紐（４）により開口状態を調整し、留め具（５）で固定できる絞り口（６）、袋を持ち上げるための取っ手（１０）からなる、小動物を運搬したり、洗ったり、運んだり、予防接種等の治療行為を行いやすくすることが出来るネット。
【請求項２】
請求項１のネットに、ボタン（８）、マジックテープ（９）を取り付け、ネットの外側にカバー（７）かぶせて止めることを可能にし、美観性の向上、防寒、排泄物、嘔吐物の漏れ止め機能を加えたネット。
【考案の詳細な説明】
【技術分野】
【０００１】  洗濯用のネットや袋、ペット運搬や飼育用のゲージ、小屋などによる。
【背景技術】
【０００２】  洗濯時の洋服などに糸くずやほこりの付着を防止したり、衣類の型くずれを防いで、大事に洗いたい時などに用いる洗濯用のネットや、ペット、小動物の運搬用のゲージやかごは従来から販売され、広く利用されている。
【考案の開示】
【考案が解決しようとする課題】
【０００３】  犬や猫、うさぎなどの小動物の予防接種をする際に、動物病院の診察台で逃げようと暴れて困ったり、冷や汗をかいたりしたことがないだろうか？本考案によれば、ペットの袋に入れた際に自然と大人しくなってしまう習性を利用して、スムーズに治療や予防接種をしたり、自動車などでおとなしく運搬したりすることが出来る。また、本考案によるネットによれば、非常に円滑にそのままお風呂に入れて、シャンプーしたり、体を洗って上げることも出来る。つまり、お風呂場で逃げ回るシャンプーが嫌いなペットと格闘することから開放されるのである。
【課題を解決するための手段】
【０００４】  布製のネット（１）に小動物、いわゆるペットを出し入れするファスナー（２）、ファスナーが勝手に開かない様にするロック（３）、必要に応じてペットが首を出したり、手を入れて作業がし易い様にするための紐（４）とその留め具（５）からなる絞り口（６）、カバー（７）を止める為用のボタン（８）、マジックテープ（９）、袋を持ち上げるための取っ手（１０）からなる、小動物を運搬したり、洗ったり、運んだり、予防接種等の治療行為を行いやすくすることが出来るネット。
【考案を実施するための最良の形態】
【０００５】本考案による布製のネット（１）のファスナー（２）を開きそこからペットを入れ、ファスナーが勝手に開かない様に、ロック（３）をかける。必要に応じ紐（４）とその留め具（５）からなる絞り口（６）をゆるめ、小動物の首を出し、その大きさを調節し、留め具（５）でロックすることができる。そのまま手を入れて、作業をすることもできる。必要に応じて、寒いときは、防寒のためにカバー（７）をネット（１）にかぶせ、そのカバー（７）を止める為用のボタン（８）やマジックテープ（９）をかけて袋を固定する。移動の際は、袋を持ち上げるための取っ手（１０）を持ってぶら下げたり、脇に抱えたり、抱きかかえれば良い。さらに、このカバー（７）を防水タイプのものにすれば、排泄物や嘔吐物などが漏れて運搬する際に汚れないですむ。また、カバー（７）を外しているときは、小動物を入れたまま、おとなしくお風呂場でネットごと小動物を洗ったりシャンプーしたり出来る。同様にそのまま、ネット越しに予防接種を打ったり、簡単な治療であれば、絞り口（６）やファスナー（２）をゆるめて行うことも出来る。
【実施例】
【０００６】（図１）が本考案の請求項１の実施例で、（図２）が本考案の請求項２の実施例である。
【考案の効果】
【０００７】とにかく、お風呂やシャンプーの際にシャンプーや石鹸まみれになって、逃げ回るペットと格闘しなくても済むのが一番重宝するはずである。さらに、そのお風呂でのシャンプー時のペットの抜け毛も非常に軽減される。また、予防接種や治療の際に必死になってペットを押さえつけておかなくとも、楽におとなしくさせておける。具合が悪いペットを運ぶ際も、そのまま直接抱き上げることが出来るので、ペットも安心してよけいに落ち着く効果もある。さらに、カバーを付けることにより、具合の悪いペットを動物病院まで運搬する際、防寒効果や運搬時の下痢や排泄、嘔吐による汚濁の防止の効果もある。使用後も、かごやゲージと違い、洗濯などが簡単に出来る点も便利である。
【図面の簡単な説明】
【０００８】
【図１】本考案の請求項１の実施例
【図２】本考案の請求項２の実施例
【符号の説明】
【０００９】ネット・・・（１）    ファスナー・・・（２）    ファスナーの留め具・・・（３）
紐・・・（４）        留め具・・・（５）        絞り口・・・（６）
カバー・・・（７）    ボタン・・・（８）        マジックテープ・・・（９）
取っ手・・・（１０）  ボタン穴・・・（１１）
【図１】
0003113999.tif 000003
【図２】
0003113999.tif 000004
【手続補正書】
【提出日】平成17年6月10日(2005.6.10)
【手続補正１】
【補正対象書類名】実用新案登録請求の範囲
【補正対象項目名】請求項２
【補正方法】変更
【補正の内容】
【請求項２】
請求項１のネットに、ボタン（８）、面ファスナー（９）を取り付け、ネットの外側にカバー（７）かぶせて止めることを可能にし、美観性の向上、防寒、排泄物、嘔吐物の漏れ止め機能を加えたネット。
【手続補正２】
【補正対象書類名】明細書
【補正対象項目名】全文
【補正方法】変更
【補正の内容】
【考案の詳細な説明】
【技術分野】
【０００１】  洗濯用のネットや袋、ペット運搬や飼育用のゲージ、小屋などによる。
【背景技術】
【０００２】  洗濯時の洋服などに糸くずやほこりの付着を防止したり、衣類の型くずれを防いで、大事に洗いたい時などに用いる洗濯用のネットや、ペット、小動物の運搬用のゲージやかごは従来から販売され、広く利用されている。
【考案の開示】
【考案が解決しようとする課題】
【０００３】  犬や猫、うさぎなどの小動物の予防接種をする際に、動物病院の診察台で逃げようと暴れて困ったり、冷や汗をかいたりしたことがないだろうか？本考案によれば、ペットの袋に入れた際に自然と大人しくなってしまう習性を利用して、スムーズに治療や予防接種をしたり、自動車などでおとなしく運搬したりすることが出来る。また、本考案によるネットによれば、非常に円滑にそのままお風呂に入れて、シャンプーしたり、体を洗って上げることも出来る。つまり、お風呂場で逃げ回るシャンプーが嫌いなペットと格闘することから開放されるのである。
【課題を解決するための手段】
【０００４】  布製のネット（１）に小動物、いわゆるペットを出し入れするファスナー（２）、ファスナーが勝手に開かない様にするロック（３）、必要に応じてペットが首を出したり、手を入れて作業がし易い様にするための紐（４）とその留め具（５）からなる絞り口（６）、カバー（７）を止める為用のボタン（８）、面ファスナー（９）、袋を持ち上げるための取っ手（１０）からなる、小動物を運搬したり、洗ったり、運んだり、予防接種等の治療行為を行いやすくすることが出来るネット。
【考案を実施するための最良の形態】
【０００５】本考案による布製のネット（１）のファスナー（２）を開きそこからペットを入れ、ファスナーが勝手に開かない様に、ロック（３）をかける。必要に応じ紐（４）とその留め具（５）からなる絞り口（６）をゆるめ、小動物の首を出し、その大きさを調節し、留め具（５）でロックすることができる。そのまま手を入れて、作業をすることもできる。必要に応じて、寒いときは、防寒のためにカバー（７）をネット（１）にかぶせ、そのカバー（７）を止める為用のボタン（８）や面ファスナー（９）をかけて袋を固定する。移動の際は、袋を持ち上げるための取っ手（１０）を持ってぶら下げたり、脇に抱えたり、抱きかかえれば良い。さらに、このカバー（７）を防水タイプのものにすれば、排泄物や嘔吐物などが漏れて運搬する際に汚れないですむ。また、カバー（７）を外しているときは、小動物を入れたまま、おとなしくお風呂場でネットごと小動物を洗ったりシャンプーしたり出来る。同様にそのまま、ネット越しに予防接種を打ったり、簡単な治療であれば、絞り口（６）やファスナー（２）をゆるめて行うことも出来る。
【実施例】
【０００６】（図１）が本考案の請求項１の実施例で、（図２）が本考案の請求項２の実施例である。
【考案の効果】
【０００７】とにかく、お風呂やシャンプーの際にシャンプーや石鹸まみれになって、逃げ回るペットと格闘しなくても済むのが一番重宝するはずである。さらに、そのお風呂でのシャンプー時のペットの抜け毛も非常に軽減される。また、予防接種や治療の際に必死になってペットを押さえつけておかなくとも、楽におとなしくさせておける。具合が悪いペットを運ぶ際も、そのまま直接抱き上げることが出来るので、ペットも安心してよけいに落ち着く効果もある。さらに、カバーを付けることにより、具合の悪いペットを動物病院まで運搬する際、防寒効果や運搬時の下痢や排泄、嘔吐による汚濁の防止の効果もある。使用後も、かごやゲージと違い、洗濯などが簡単に出来る点も便利である。
【図面の簡単な説明】
【０００８】
【図１】  本考案の請求項１の実施例
【図２】  本考案の請求項２の実施例
【符号の説明】
【０００９】ネット・・・（１）    ファスナー・・・（２）    ファスナーの留め具・・・（３）    紐・・・（４）    留め具・・・（５）    絞り口・・・（６）    カバー・・・（７）    ボタン・・・（８）    面ファスナー・・・（９）    取っ手・・・（１０）    ボタン穴・・・（１１）